(57)【要約】【課題】文字盤として音楽用などの１２ｃｍコンパクトディスクを用い、文字盤にサンドブラスト技法により購入者の希望する写真画像・文字・図柄を食刻した時計を提供する。【解決手段】コンパクトディスク３０はＣＤケース本体１０に収納され、時分秒の各時計針２２は時計針回転軸２１により回転駆動されている。時計針回転軸２１は、コンパクトディスク３０の穴が嵌った凸部１２の中心からＣＤケース本体１０の背面部へ貫通して、ＣＤケース本体の背面部に固着されたクオーツ機構部２０に接続されている。クオーツ機構部２０は、時計針２２の回転が水晶発振器により制御されるアナログ時計ムーブメントである。文字盤は、コンパクトディスク３０にサンドブラスト技法により購入者の希望する写真画像・文字・図柄を食刻して作製する。【選択図】  第１図【実用新案登録請求の範囲】
【請求項１】
内部にコンパクトディスクの穴に嵌合する凸部を有するＣＤケース本体と、そのＣＤケース本体に開閉可能かつ取外し可能に取り付けた透明の前面フタと、前記凸部に嵌合させて前記ＣＤケース本体に収納したコンパクトディスクと、時計針回転軸を前記凸部の中心を貫通させかつ時計針が前記コンパクトディスクの前面に位置するように前記ＣＤケース本体の背面部に固着したクオーツ機構部とからなる時計であって、前記コンパクトディスクを文字盤として用いたことを特徴とする時計。
【請求項２】
前記文字盤は、購入者が文字盤のデザインとして指定した写真、文字、図形又はそれらの組合わせを電子データとしてコンピュータに入力し、画像修正ソフトを用いて文字盤画像を作成しかつその文字盤画像に網掛け処理を施して転写フィルムに印刷し、その転写フィルムをＵＶ硬化性フィルムの上に重ねてその上から紫外線を照射した後にそのＵＶ硬化性フィルムをアルカリ処理してマスキングフィルムを作製し、そのマスキングフィルムをコンパクトディスクの盤面に貼付してサンドブラストすることにより文字盤画像をコンパクトディスクの盤面に食刻したものであることを特徴とする、請求項１に記載の時計。
【請求項３】
購入者が結婚、誕生、受賞、記録達成、入学、卒業、試験合格等の記念のためや、誕生日、クリスマス、バレンタインデー等のプレゼントのために盤面のデザインとして指定した写真、文字、図形又はそれらの組合わせを電子データとしてコンピュータに入力し、画像修正ソフトを用いて盤面画像を作成しかつその盤面画像に網掛け処理を施して転写フィルムに印刷し、その転写フィルムをＵＶ硬化性フィルムの上に重ねてその上から紫外線を照射した後にそのＵＶ硬化性フィルムをアルカリ処理してマスキングフィルムを作製し、そのマスキングフィルムを盤面に貼付してサンドブラストすることにより盤面画像を盤面に食刻したものであることを特徴とするコンパクトディスク。
【請求項４】
前記コンパクトディスクは、非記録面に文字盤として文字盤画像を食刻し、かつ記録面に文字盤画像に関連する情報を電子情報として記録したものであることを特徴とする、請求項１〜３のいずれかに記載のコンパクトディスク。
【請求項５】
内部にコンパクトディスクの穴に嵌合する凸部を有するＣＤケース本体と、そのＣＤケース本体に開閉可能かつ取外し可能に取り付けた透明の前面フタと、前記凸部に嵌合させて前記ＣＤケース本体に収納したコンパクトディスクからなり、そのコンパクトディスクは請求項３又は４に記載のコンパクトディスクであることを特徴とする記念品。
【考案の詳細な説明】
【技術分野】
【０００１】  本考案は、コンパクトディスクを文字盤にした時計及び時計型の記念品に関するものである。なお、本考案において、コンパクトディスクとは、直径１２ｃｍの円盤であって、中心部に１５ｍｍ径の穴を有する音楽用又は映像・音声・文字等の電子情報記録用の光ディスクメディアのことであり、通常、一面が記録面であり他面が非記録面である、ＣＤ又はＤＶＤと称されるものである。
【背景技術】
【０００２】  従来、時計において、文字盤の背景に絵や写真を配したものは種々あり、例えば、文字盤の背景に好みの写真や絵等を使用し、更に、その絵柄に合わせて時針の位置や時計の置き方を変えることのできる時計（特開２００１−１３２７２）や、文字盤部分にプリントクラブなどの写真を貼付する空間を設けた時計（特開平１１−２６８２）などが提案されている。しかし、文字盤のデザインを使用者の希望に応じて作成するものは殆ど無く、また客の注文に応じて文字盤を作成するものは極めて高価であった。
【特許文献１】特開２００１−１３２７２号公報
【特許文献２】特開平１１−２６８２号公報
【考案の開示】
【考案が解決しようとする課題】
【０００３】  本考案は、上述のような問題点に鑑みてなされたもので、文字盤としてコンパクトディスクを用い、購入者の希望により文字盤の盤面にサンドブラスト技法により任意の写真画像・文字・図柄を食刻することにより、文字盤のデザインを購入者の希望に応じて作製し、かつきわめて安価に購入者に提供できるようにした時計及び時計型の記念品を提供することを目的とする。
【課題を解決するための手段】
【０００４】  上記課題を解決するために、本考案の請求項１に記載の時計は、内部にコンパクトディスクの穴に嵌合する凸部を有するＣＤケース本体と、そのＣＤケース本体に開閉可能かつ取外し可能に取り付けた透明の前面フタと、前記凸部に嵌合させて前記ＣＤケース本体に収納したコンパクトディスクと、時計針回転軸を前記凸部の中心を貫通させかつ時計針が前記コンパクトディスクの前面に位置するように前記ＣＤケース本体の背面部に固着したクオーツ機構部とからなる時計であって、前記コンパクトディスクを文字盤として用いたことを特徴とするものである。【０００５】  本考案の請求項２に記載の時計は、前記文字盤が、購入者が文字盤のデザインとして指定した写真、文字、図形又はそれらの組合わせを電子データとしてコンピュータに入力し、画像修正ソフトを用いて文字盤画像を作成しかつその文字盤画像に網掛け処理を施して転写フィルムに印刷し、その転写フィルムをＵＶ硬化性フィルムの上に重ねてその上から紫外線を照射した後にそのＵＶ硬化性フィルムをアルカリ処理してマスキングフィルムを作製し、そのマスキングフィルムをコンパクトディスクの盤面に貼付してサンドブラストすることにより文字盤画像をコンパクトディスクの盤面に食刻したものであることを特徴とするものである。【０００６】  本考案の請求項３に記載のコンパクトディスクは、購入者が結婚、誕生、受賞、記録達成、入学、卒業、試験合格等の記念のためや、誕生日、クリスマス、バレンタインデー等のプレゼントのために盤面のデザインとして指定した写真、文字、図形又はそれらの組合わせを電子データとしてコンピュータに入力し、画像修正ソフトを用いて盤面画像を作成しかつその盤面画像に網掛け処理を施して転写フィルムに印刷し、その転写フィルムをＵＶ硬化性フィルムの上に重ねてその上から紫外線を照射した後にそのＵＶ硬化性フィルムをアルカリ処理してマスキングフィルムを作製し、そのマスキングフィルムをコンパクトディスクの盤面に貼付してサンドブラストすることにより盤面画像をコンパクトディスクの盤面に食刻したものであることを特徴とするものである。【０００７】  本考案の請求項４に記載のコンパクトディスクは、非記録面に文字盤として文字盤画像を食刻し、かつ記録面に文字盤画像に関連する情報を電子情報として記録したものであることを特徴とするものである。【０００８】  本考案の請求項５に記載の記念品は、内部にコンパクトディスクの穴に嵌合する凸部を有するＣＤケース本体と、そのＣＤケース本体に開閉可能かつ取外し可能に取り付けた透明の前面フタと、前記凸部に嵌合させて前記ＣＤケース本体に収納したコンパクトディスクからなり、そのコンパクトディスクは請求項３又は４に記載のコンパクトディスクであることを特徴とするものである。
【考案の効果】
【０００９】  本考案の時計は、上述の手段を講じたことにより、コンパクトディスクを文字盤として用い、ＣＤケースを時計の筐体として用いたので、透明の前面フタを閉じて壁に固着することにより壁掛けで使用することができ、また、前面フタを一旦取外し、左右逆にしてＣＤケース本体に取り付けると前面フタが台となり、本体を立てた状態で机上に載置して使用することができる。本考案の時計は、文字盤としてコンパクトディスクを用い、筐体としてＣＤケースを用いるので、これらは規格品として大量生産されており、低廉な価格で製造することがすることができる。
また、近年若者のライフスタイルの一つとして音楽ＣＤをＣＤケースに入れた状態で壁や机上など室内に飾ることも多く、本考案のＣＤケースを筐体としコンパクトディスクを文字盤にした時計は、このような現代の生活様式にマッチした、お洒落なインテリアとして使うことができるものである。【００１０】  本考案のコンパクトディスクは、例えば非記録面側に結婚式での新郎新婦の写真を文字盤画像として食刻し、記録面側に結婚式の模様を録画した映像や音声を電子化情報として記録することにより、通常は時計として又はインテリアとして使用し、必要な時に文字盤を取外して、ＣＤプレイヤーなどでその情報を再生して楽しむことができる。【００１１】  また、本考案の時計によれば、客が希望する写真・文字・絵図などを適宜組合わせたデザインの文字盤を作ることができる。本考案の時計の文字盤を作るために必要なパソコン装置・スキャナ・レーザープリンタ・紫外線露光機・ブラストマシンなどはいずれも小型のものを店内に置いて使用することができ、客から写真や絵図の提供を受ければ、直ちに店内で文字盤を作成して、客の希望するデザインの文字盤の時計を納品することができる。例えば、客が写真画像を持参し店頭で希望する文字盤デザインを注文した後、店内で短時間に作業して文字盤を作製し、本考案の時計に取り付けて引き渡すことも可能となる。また、インターネット若しくは携帯電話等の通信回線を経由して客が提供した写真を受け付けることも可能である。そこで、時計の販売店や観光地等の記念品売場、結婚式場、各種催し物会場において、コンパクトディスクの盤面に客の希望する写真などを食刻した文字盤の時計を販売することができる。本考案の時計は、結婚、誕生、受賞、記録達成などに際して、文字盤にその記念の文字と写真等を表すことができ、また、記録面に電子情報として記録しておくことができる、各種の記念品として最適のものである。【００１２】  また、前記文字盤デザインの中に時計針を含めた組み合わせ画像を作成し、その文字盤画像をコンパクトディスクに食刻することにより、例えば赤ちゃんの誕生時間や記録達成の時間など、その時計針が示す特別な時間を記念するような文字盤を作ることができる。
また、前記文字盤画像の中に時間を示す数字や時計針を含めず、結婚、誕生、受賞、記録達成、入学、卒業、試験合格等の記念のためや、誕生日、クリスマス、バレンタインデー等のプレゼントのためのデザイン画像をコンパクトディスクに食刻することにより、それらの記念のためのコンパクトディスクを作ることもできる。
さらに、そのコンパクトディスクをＣＤケース本体に収納することにより、記念品として販売することができる。
【考案を実施するための最良の形態】
【００１３】  本考案の実施の形態を、代表的な実施例に基づいて、図を用いて説明する。図１は、本考案のコンパクトディスクを文字盤にした時計の正面図（図１Ａ）、同時計の前面フタを前方に約９０度開いた状態の右側面図（図１Ｂ）である。図１Ａ及びＢに示すように、コンパクトディスク３０はＣＤケース本体１０に収納され、時分秒の各時計針２２は時計針回転軸２１により回転駆動されている。時計針回転軸２１は、コンパクトディスク３０の穴が嵌った凸部１２の中心からＣＤケース本体１０の背面部へ貫通して、ＣＤケース本体１０の背面部に固着されたクオーツ機構部２０に接続されている。クオーツ機構部２０は、時計針２２の回転が水晶発振器により制御されるアナログ時計ムーブメントである。【００１４】  本考案の時計の形状は、開閉可能かつ取外し可能な透明の前面フタ１１を備えたＣＤケース本体１０の背面部に時分秒針を回転駆動するクオーツ機構部２０を固着したものである。本物品を壁掛けで使用するときは、透明の前面フタ１１を閉じた状態で、ＣＤケース本体１０の背面部の壁掛け金具により壁に固着する。また、前面フタ１１をＣＤケース本体１０から取外し（図２Ａ参照）、左右逆にして取り付けると前面フタ１１が台となり（図２Ｂ参照）、ＣＤケース本体１０を立てた状態で机上に載置することができる。
本考案の時計は、文字盤としてコンパクトディスクを用い、筐体としてＣＤケースを用いるので、これらは規格品として大量生産されており、低廉な価格で製造することがすることができるものである。
また、近年若者のライフスタイルの一つとして音楽ＣＤをＣＤケースに入れた状態で壁や机上など室内に飾ることも多く、本考案のＣＤケースを筐体としコンパクトディスクを文字盤にした時計は、このような現代の生活様式にマッチした、お洒落なインテリアとして使うことができるものである。【００１５】  コンパクトディスク３０は、文字盤として購入者の希望する任意の写真画像・文字・図柄等を盤面にサンドブラスト技法により食刻する。コンパクトディスク３０への食刻については、既に本願出願人により「精密写真エッチングシステム」（実用新案登録３０８８８５５号公報）が提案され、公知技術となっているサンドブラスト方法を用いて行う。以下、このサンドブラスト方法による文字盤の食刻について説明する。
コンパクトディスクへ文字盤を食刻する作業工程は、
（１）文字盤のデザインとして指定した写真、文字、図形又はそれらの組合わせを電子データとしてコンピュータに入力し、画像修正ソフトを用いて文字盤画像を作成しかつその文字盤画像に網掛け処理を施して網点画像を作成する第１工程
（２）網点画像をレーザープリンタにより転写フィルムに印刷する第２工程
（３）網点画像を印刷した転写フィルムをＵＶ硬化性フィルムの上に重ねてその上から紫外線を照射した後にＵＶ硬化性フィルムをアルカリ処理してマスキングフィルムを作製する第３工程
（４）マスキングフィルムをコンパクトディスクの盤面に貼付してサンドブラストする第４工程
以上の第１〜４の各工程を経て行われる。【００１６】  第１工程では文字盤のデザインとして指定した写真、文字、図形又はそれらの組合わせを、スキャナーやデジタルカメラにより電子データ化してコンピュータに入力し、画像修正ソフトを用いてモノクロ化した後、不要な部分をトリミングなどして文字盤画像を作製し、さらにその文字盤画像に網掛け処理を施して網点画像を作成する。網掛け処理をすることにより文字盤画像の黒色部分は黒の網点の集合となり、その網点がマスキングフィルムの穿孔となってサンドブラストによりコンパクトディスクの盤面に食刻されて画像を再現することとなる。この工程で、コンピュータに取り込んた写真、文字、図形又はそれらの組合わせ画像は画像修正ソフトによりトリミング及びモノクロ化するほか、原画像の品質が悪い場合にはシャープネスやコントラスト・明るさ等の補正をすることが好ましく、更に必要に応じて画像の大きさの調整や文字の挿入などを行う。【００１７】  第２工程では、第１工程において網掛け処理した網点画像を転写フィルムにレーザープリンタで印刷する。転写フィルムは、その表面に微細な凹凸による艷消処理を施したポリエステル等の合成樹脂材料のものであって、厚さが１００μ以下であることが望ましい。このような転写フィルムを用いることにより、印刷時のスクリーンは密度１００〜３００線／インチを実現でき、人物写真では顔の表情や髪の毛の質感などを原写真に近い画像を食刻し得るマスキングフィルムを作製でき、レーザープリンタによる印刷時のトナーの転写・定着が良好に行われるほか、フィルム自体の耐熱性・熱放散性もよい。【００１８】  第３工程では、網点画像を印刷した転写フィルムをＵＶ硬化性フィルムの上に重ねて紫外線露光器にセットし、転写フィルムの上から紫外線を照射する。ＵＶ硬化性フィルムは、たわみ性フィルムによる基台層とＵＶ硬化性樹脂組成物からなる感光層と離型フィルムからなる保護層の３層からなり、保護層を剥離して感光層が転写フィルムの印刷面に接するように重ねて紫外線露光器上にセットする。転写フィルムに印刷された網点画像の網点部分は紫外線が遮られてＵＶ硬化性フィルムには到達しないので硬化せず、網点以外の部分は紫外線がＵＶ硬化性フィルムに到達してその部分が硬化する。露光した後に転写フィルムを外し、ＵＶ硬化性フィルムをアルカリ処理すると、硬化しなかった部分が洗い流され感熱層は網点部分が穿孔された状態となる。かくして、ＵＶ硬化フィルムは露光・アルカリ処理後、マスキングフィルムとなる。【００１９】  第４工程では、食刻するコンパクトディスクの盤面に液体糊を薄く塗布し、その上に第３工程で作製したマスキングフィルムを貼付し基台層を剥離した後、エアガンにてサンドブラストする。コンパクトディスクの材質はポリカーボネイト樹脂であるので、これに最も適したブラスト圧に調整しかつ細かい粒子のサンド（研磨剤）を使用して行う。こうして、コンパクトディスクの盤面にはマスキングフィルムの穿孔（網点）部分が食刻され、文字盤画像がコンパクトディスクの盤面に再現される。
上述の第１〜４の各工程を経て、本考案の時計の文字盤が作製される。文字盤画像を食刻するコンパクトディスクの盤面は、記録面側又は非記録面側のいずれであってよいが、記録面側の情報を残したい場合は非記録面側に食刻する。非記録面側の盤面は、通常市販の音楽用ＣＤなどではレーベルが印刷されるので、本考案の時計の文字盤では未印刷の盤面に食刻することが好ましい。例えば、非記録面側に結婚式での新郎新婦の写真を文字盤画像として食刻し、記録面側に結婚式の模様を録画した映像や音声を電子化情報として記録することにより、通常は時計として又はインテリアとして使用し、必要な時に文字盤を取外して、ＣＤプレイヤーなどでその情報を再生して楽しむことができる。【００２０】  また、前記文字盤画像の中に時計針を含めて組み合わせ画像を作成し、その文字盤画像をコンパクトディスクに食刻することにより、例えば赤ちゃんの誕生時間や記録達成の時間など、その時計針が示す特別な時間を記念するような文字盤を作ることができる（図３Ａ参照）。また、前記文字盤画像の中に時間を示す数字や時計針を含めず、結婚、誕生、受賞、記録達成、入学、卒業、試験合格等の記念のためや、誕生日、クリスマス、バレンタインデー等のプレゼントのためのデザイン画像をコンパクトディスクに食刻することにより、それらの記念のためのコンパクトディスクを作ることもできる（図３Ｂ参照）。さらに、このコンパクトディスクをＣＤケース本体に収納することにより、記念品として販売することができる（図３Ｃ参照）。【００２１】  本考案のコンパクトディスクを文字盤として用いた時計や記念品によれば、客が希望する写真・文字・絵図などを適宜組合わせたデザインの文字盤を作ることができる。本考案の時計の文字盤を作るために必要なパソコン装置・スキャナ・レーザープリンタ・紫外線露光機・ブラストマシンなどはいずれも小型のものを店内に置いて使用することができ、客から写真や絵図の提供を受ければ、直ちに店内で文字盤を作成して、客の希望するデザインの文字盤の時計や記念品を納品することができる。例えば、客が写真画像を持参し店頭で希望する文字盤デザインを注文した後、店内で前記第１〜４の各工程を短時間で作業して文字盤を作製し、本考案の時計に取り付けて引き渡すことも可能となる。また、インターネット若しくは携帯電話等の通信回線を経由して客が提供した写真を受け付けることも可能である。そこで、時計の販売店や観光地等の記念品売場、結婚式場、各種催し物会場において、コンパクトディスクの盤面に客の希望する写真などを食刻した文字盤の時計や記念品を販売することができる。
【図面の簡単な説明】
【００２２】
【図１】本考案の時計の、正面図（Ａ）、前面フタを開いた状態の右側面図（Ｂ）である。正面図Ａ及び右側面図Ｂ中、前面フタ１１は透明であるので、前面フタ１１から透けて見えるＣＤケース本体１０の部分はそのまま表した。
【図２】本考案の時計の、前面フタを取外した状態の右側面図（Ａ）、前面フタを左右逆に付け替えた状態の右側面図（Ｂ）である。図Ｂ中、前面フタ１１は透明であるので、前面フタ１１から透けて見えるＣＤケース本体１０の部分はそのまま表した。
【図３】文字盤画像の中に記念すべき時間を示す時計針を含めたデザインを食刻したコンパクトディスクの正面図（Ａ）、盤面にバレンタインデーの記念デザインを食刻したコンパクトディスクの正面図（Ｂ）、コンパクトディスクを収納したＣＤケース本体の正面図（Ｃ）である。図Ｃ中、前面フタ１１は透明であるので、前面フタ１１から透けて見えるＣＤケース本体１０の部分はそのまま表した。
【符号の説明】
【００２３】    １０    ＣＤケース本体
１１    前面フタ
１２    凸部
２０    クオーツ機構部
２１    時計針回転軸
２２    時計針
２３    壁掛け金具
３０    コンパクトディスク（文字盤）
【図１】
0003104610.tif 000002
【図２】
0003104610.tif 000003
【図３】
0003104610.tif 000004
【手続補正書】
【提出日】平成16年5月20日(2004.5.20)
【手続補正１】
【補正対象書類名】実用新案登録請求の範囲
【補正対象項目名】全文
【補正方法】変更
【補正の内容】
【実用新案登録請求の範囲】
【請求項１】
内部にコンパクトディスクの穴に嵌合する凸部を有するＣＤケース本体と、そのＣＤケース本体に開閉可能かつ取外し可能に取り付けた透明の前面フタと、前記凸部に嵌合させて前記ＣＤケース本体に収納したコンパクトディスクと、時計針回転軸を前記凸部の中心を貫通させかつ時計針が前記コンパクトディスクの前面に位置するように前記ＣＤケース本体の背面部に固着したクオーツ機構部とからなる時計であって、前記コンパクトディスクを文字盤として用いたことを特徴とする時計。
【請求項２】
前記文字盤は、購入者が文字盤のデザインとして指定した写真、文字、図形又はそれらの組合わせを電子データとしてコンピュータに入力し、画像修正ソフトを用いて文字盤画像を作成しかつその文字盤画像に網掛け処理を施して転写フィルムに印刷し、その転写フィルムをＵＶ硬化性フィルムの上に重ねてその上から紫外線を照射した後にそのＵＶ硬化性フィルムをアルカリ処理してマスキングフィルムを作製し、そのマスキングフィルムをコンパクトディスクの盤面に貼付してサンドブラストすることにより文字盤画像をコンパクトディスクの盤面に食刻したものであることを特徴とする、請求項１に記載の時計。
【請求項３】
前記コンパクトディスクは、非記録面に文字盤として文字盤画像を食刻し、かつ記録面に文字盤画像に関連する情報を電子情報として記録したものであることを特徴とする、請求項１又は２に記載のコンパクトディスク。
【請求項４】
内部にコンパクトディスクの穴に嵌合する凸部を有するＣＤケース本体と、そのＣＤケース本体に開閉可能かつ取外し可能に取り付けた透明の前面フタと、前記凸部に嵌合させて前記ＣＤケース本体に収納したコンパクトディスクからなり、そのコンパクトディスクは請求項３に記載のコンパクトディスクであることを特徴とする記念品。
【手続補正２】
【補正対象書類名】明細書
【補正対象項目名】０００６
【補正方法】変更
【補正の内容】
【０００６】  本考案の請求項１及び２に記載のコンパクトディスクは、購入者が結婚、誕生、受賞、記録達成、入学、卒業、試験合格等の記念のためや、誕生日、クリスマス、バレンタインデー等のプレゼントのために盤面のデザインとして指定した写真、文字、図形又はそれらの組合わせを電子データとしてコンピュータに入力し、画像修正ソフトを用いて盤面画像を作成しかつその盤面画像に網掛け処理を施して転写フィルムに印刷し、その転写フィルムをＵＶ硬化性フィルムの上に重ねてその上から紫外線を照射した後にそのＵＶ硬化性フィルムをアルカリ処理してマスキングフィルムを作製し、そのマスキングフィルムをコンパクトディスクの盤面に貼付してサンドブラストすることにより盤面画像をコンパクトディスクの盤面に食刻して作ることもできるものである。
【手続補正３】
【補正対象書類名】明細書
【補正対象項目名】０００７
【補正方法】変更
【補正の内容】
【０００７】  本考案の請求項３に記載のコンパクトディスクは、非記録面に文字盤として文字盤画像を食刻し、かつ記録面に文字盤画像に関連する情報を電子情報として記録したものであることを特徴とするものである。
【手続補正４】
【補正対象書類名】明細書
【補正対象項目名】０００８
【補正方法】変更
【補正の内容】
【０００８】  本考案の請求項４に記載の記念品は、内部にコンパクトディスクの穴に嵌合する凸部を有するＣＤケース本体と、そのＣＤケース本体に開閉可能かつ取外し可能に取り付けた透明の前面フタと、前記凸部に嵌合させて前記ＣＤケース本体に収納したコンパクトディスクからなり、そのコンパクトディスクは請求項３に記載のコンパクトディスクであることを特徴とするものである。